(57)【要約】【課題】反射部材のがたつきを抑えた照明器具を提供する。【解決手段】一対の反射板５０は、少なくとも一部が取付板６から離れるほど互いの間隔が狭くなるように傾斜する。一対の側板５１は、一対の反射板５０の各々における取付板６側の端縁から取付板６側に延びる。一対の折り返し板５２は、一対の側板５１の各々における取付板６側の端縁部分を互いに近づく向きに折り返すことで形成される。器具本体は、取付板６から取付板６と交差する方向に突出する支持片６２と、支持片６２の先端から支持片６２と交差する方向に突出する差込片６０とを有する。差込片６０は、板状で且つ先端に向かって幅寸法が小さくなるように形成される。一対の側板５１の各々は、差込片６０が差し込まれる差込孔５１０を有する。一対の折り返し板５２の各々は、差込孔５１０と対向する位置に、差込片６０の幅方向における開口寸法が差込孔５１０よりも小さい差込溝５２０を有する。【選択図】図１
2015141759.tif 000002
【特許請求の範囲】
【請求項１】
光源と、反射部材と、前記光源及び前記反射部材を支持する器具本体とを備え、
前記器具本体は、平板状に形成された取付部の一面に前記光源及び前記反射部材が交互に並ぶように取り付けられ、
前記反射部材は、少なくとも一部が前記取付部から離れるほど互いの間隔が狭くなるように傾斜する一対の反射板と、前記一対の反射板の各々における前記取付部側の端縁から前記取付部側に延びる一対の側板と、前記一対の側板の各々における前記取付部側の端縁部分を互いに近づく向きに折り返すことで前記一対の側板と対向する一対の折り返し板とを具備し、
前記器具本体は、前記取付部から前記取付部と交差する方向に突出する支持片と、前記支持片の先端から前記支持片と交差する方向に突出する差込片とを有し、前記差込片は、板状で且つ先端に向かって幅寸法が小さくなるように形成されており、
前記一対の側板の各々は、前記差込片が差し込まれる差込孔を有し、
前記一対の折り返し板の各々は、前記差込孔と対向する位置に、前記差込片の幅方向における開口寸法が前記差込孔よりも小さい差込溝を有していることを特徴とする照明器具。
【請求項２】
前記差込片の幅方向における前記差込溝の両側の開口端縁が、前記差込片の厚み方向における一端側から他端側に向けて互いの間隔が狭くなるように傾斜していることを特徴とする請求項１記載の照明器具。
【請求項３】
少なくとも前記反射部材の表面には塗膜が形成されており、
前記差込片及び前記差込溝は、前記差込片が前記差込溝に差し込まれる際に前記差込片が前記差込溝の開口端縁の表面上をすりながら動くことで、少なくとも前記差込溝の開口端縁に形成された塗膜が除去され、前記差込片の表面と前記差込溝の表面とが直接接触するように構成されていることを特徴とする請求項１又は２記載の照明器具。
【発明の詳細な説明】
【技術分野】
【０００１】
本発明は、照明器具に関するものである。
【背景技術】
【０００２】
従来より、天井埋込型の照明器具が提供されている（例えば特許文献１参照）。特許文献１に記載された照明器具は、下面が開口する矩形箱状に形成された器具本体を備え、器具本体の内部には、２本の蛍光ランプが横並びに配置されている。
【０００３】
また、器具本体の内部において２本の蛍光ランプの間には、蛍光ランプからの光を下方へ反射させるＶ字状の反射板が配置されている。この反射板は、器具本体の底面に固定されたホルダに設けたフック状の係止部を、反射板に設けたスリット状の係止孔に引っ掛けることで器具本体に取り付けられる。
【先行技術文献】
【特許文献】
【０００４】
【特許文献１】特開２０００−１５６１１６号公報
【発明の概要】
【発明が解決しようとする課題】
【０００５】
上述の特許文献１に示した照明器具のように係止部を係止孔に引っ掛ける構造では、器具本体及び反射板の製造における寸法誤差等を考慮して、係止部の幅寸法よりも係止孔の幅寸法を大きくするのが一般的である。そのため、反射板を器具本体に取り付けた状態で反射板ががたつくという問題があった。
【０００６】
本発明は上記問題点に鑑みて為されたものであり、反射部材のがたつきを抑えた照明器具を提供することを目的とする。
【課題を解決するための手段】
【０００７】
本発明の照明器具は、光源と、反射部材と、前記光源及び前記反射部材を支持する器具本体とを備え、前記器具本体は、平板状に形成された取付部の一面に前記光源及び前記反射部材が交互に並ぶように取り付けられ、前記反射部材は、少なくとも一部が前記取付部から離れるほど互いの間隔が狭くなるように傾斜する一対の反射板と、前記一対の反射板の各々における前記取付部側の端縁から前記取付部側に延びる一対の側板と、前記一対の側板の各々における前記取付部側の端縁部分を互いに近づく向きに折り返すことで前記一対の側板と対向する一対の折り返し板とを具備し、前記器具本体は、前記取付部から前記取付部と交差する方向に突出する支持片と、前記支持片の先端から前記支持片と交差する方向に突出する差込片とを有し、前記差込片は、板状で且つ先端に向かって幅寸法が小さくなるように形成されており、前記一対の側板の各々は、前記差込片が差し込まれる差込孔を有し、前記一対の折り返し板の各々は、前記差込孔と対向する位置に、前記差込片の幅方向における開口寸法が前記差込孔よりも小さい差込溝を有していることを特徴とする。
【０００８】
この照明器具において、前記差込片の幅方向における前記差込溝の両側の開口端縁が、前記差込片の厚み方向における一端側から他端側に向けて互いの間隔が狭くなるように傾斜しているのが好ましい。
【０００９】
また、この照明器具において、少なくとも前記反射部材の表面には塗膜が形成されており、前記差込片及び前記差込溝は、前記差込片が前記差込溝に差し込まれる際に前記差込片が前記差込溝の開口端縁の表面上をすりながら動くことで、少なくとも前記差込溝の開口端縁に形成された塗膜が除去され、前記差込片の表面と前記差込溝の表面とが直接接触するように構成されているのも好ましい。
【発明の効果】
【００１０】
本発明の構成によれば、反射部材を器具本体に取り付けた状態では、差込片の幅方向における開口寸法が差込孔よりも小さい差込溝によって反射部材の移動が規制される。そのため、差込孔のみを設けた場合と比較して、差込片の幅方向における反射部材のがたつきを抑えることができるという効果がある。
【図面の簡単な説明】
【００１１】
【図１】（ａ）は本実施形態の照明器具において反射部材を取付板に取り付けた状態の一部省略せる斜視図、（ｂ）は同上の照明器具に用いられる反射部材の一部省略せる側面図である。
【図２】同上の照明器具の分解斜視図である。
【図３】同上の照明器具において反射部材を取付板に取り付けた状態の一部省略せる断面図である。
【図４】（ａ）〜（ｃ）は同上の照明器具において差込片が差込孔及び差込溝に差し込まれる手順を説明するＡ−Ａ断面図である。
【図５】（ａ）〜（ｃ）は同上の照明器具において反射部材を取付板に取り付ける手順を説明する説明図である。
【図６】（ａ）〜（ｃ）は同上の照明器具において反射部材を取付板に取り付ける手順を説明する別の説明図である。
【図７】同上の照明器具に用いられる光源ブロックの一部省略せる断面図である。
【図８】同上の別の照明器具の分解斜視図である。
【図９】同上の別の照明器具の外観斜視図である。
【図１０】同上の別の照明器具に用いられる反射部材の断面図である。
【発明を実施するための形態】
【００１２】
以下に、照明器具の実施形態について図面を参照しながら説明する。本実施形態の照明器具は、天井板に設けられた埋込孔に器具本体が埋め込まれる天井埋込型の照明器具である。但し、本発明の技術思想が適用可能な照明器具は天井埋込型のものに限定されず、例えば天井板に直付けされる天井直付け型の照明器具であってもよい。なお、以下の説明では特に断りが無い限り、図２において上下、前後、左右の各方向を規定する。
【００１３】
本実施形態の照明器具は、図２に示すように、支持ブロック１と、光源ブロック２とを備える。また、光源ブロック２は、複数（図２では３つ）の光源ユニット３と、電源装置４と、複数（図２では２つ）の反射部材５と、取付板６とを有する。
【００１４】
光源ユニット３は、ＬＥＤモジュール３０と、取付部材３１と、カバー３２と、一対のカバーエンド３３と、一対の反射シート３４とを備える。
【００１５】
ＬＥＤモジュール３０は、セラミックスなどの絶縁材料からなる基板３００と、基板３００の表面（下面）に等間隔且つ２列に並べて実装される複数個の発光ダイオード３０１とを有する。また、基板３００の長手方向（前後方向）の一端には、レセプタクルコネクタ３０２が実装される。
【００１６】
レセプタクルコネクタ３０２は、基板３００に形成されたプリント配線（図示せず）を介して各発光ダイオード３０１と電気的に接続されている。さらに、基板３００は、短手方向（左右方向）における両端に、３つの貫通孔３０３がそれぞれ長手方向（前後方向）に沿って等間隔に設けられている。ここに、本実施形態では、発光ダイオード３０１により光源が構成されている。
【００１７】
取付部材３１は、長尺且つ矩形板状に形成された底壁部３１０と、底壁部３１０の短手方向（左右方向）における両端から上向きに立ち上がる一対の側壁部３１１とを有する角樋状に形成されている。底壁部３１０は、短手方向（左右方向）における両端に、３つの切り起こし片３１２がそれぞれ長手方向（前後方向）に沿って等間隔に設けられている。
【００１８】
ＬＥＤモジュール３０は、取付部材３１の底壁部３１０と基板３００とが密着した状態で、取付部材３１の６つの切り起こし片３１２が、基板３００の各貫通孔３０３に挿通された後にかしめられることにより、取付部材３１に取り付けられる。
【００１９】
反射シート３４は、ポリエチレンテレフタレートなどの合成樹脂材料によりシート状に形成されている。また、反射シート３４は、白色に着色されることで表面（接着剤が塗布されていない面）が反射面となるように形成されている。
【００２０】
そして、一対の反射シート３４は、発光ダイオード３０１を避けつつ底壁部３１０と基板３００に被さるように、底壁部３１０と基板３００の表面（下面）に貼り付けられる。つまり、発光ダイオード３０１から放射される光を反射シート３４の反射面に反射させることで、より多くの光を照明空間に照射することができる。
【００２１】
カバー３２は、アクリル樹脂やポリカーボネート樹脂などの透光性を有する材料により、略半円筒形の主部３２０と、主部３２０の短手方向（左右方向）における両端部より互いに並行するように上向きに突出する一対の突壁部３２１とが一体に形成されている。また、各突壁部３２１の先端（上端）には、内向きに突出する突起部３２１０がそれぞれ一体に設けられている。
【００２２】
さらに、主部３２０の短手方向における両端部には、主部３２０と連なるように各突壁部３２１の外側まで延出された延出部３２２がそれぞれ一体に形成されている。そして、カバー３２は、各突壁部３２１の突起部３２１０が、取付部材３１の各側壁部３１１の先端（上端）に引っ掛かることにより、ＬＥＤモジュール３０の前方（下方）を覆うように取付部材３１の下面側に取り付けられる。
【００２３】
なお、カバー３２は乳白色の拡散材が混入され、ＬＥＤモジュール３０から放射される光を拡散させて照明空間へ照射するように構成されている。
【００２４】
カバーエンド３３は、カバー３２と同じ材料で半円板状に形成され、カバー３２及び取付部材３１の長手方向における両端にそれぞれ取り付けられる。
【００２５】
電源装置４は、交流の電圧・電流を直流の電圧・電流に変換する電力変換回路や入力端子台４１、出力端子台４３（図７参照）、信号端子台４２などが実装されたプリント配線板４４（図７参照）が金属製のケース４０に収納されて構成される。なお、入力端子台４１と信号端子台４２は、プリント配線板４４の前端部に実装され、出力端子台４３は、プリント配線板４４の後端部に実装される。
【００２６】
ケース４０は、角樋状に形成されたケース本体４００と、ケース本体４００の上に被せられる箱形のケース蓋４０１とを組み立てて構成される。但し、入力端子台４１、出力端子台４３、信号端子台４２が実装されたプリント配線板４４の長手方向における両端部はケース蓋４０１で覆われていない。
【００２７】
取付板６は、鋼板などの金属板により矩形（正方形）板状に形成されている。但し、取付板６は、４つの辺が同じ向き（下向き）に曲げ起こされることで強度の向上が図られている。そして、３つの光源ユニット３は、長手方向が前後方向に揃えられ、左右方向に沿って等間隔に並んだ状態で、ねじ止めなどの適宜の方法によって取付板６の下面に取り付けられる。また、電源装置４は、隣り合う２つの光源ユニット３の間において、ねじ止めなどの適宜の方法によって取付板６の下面に取り付けられる。
【００２８】
また、取付板６は、取付板６から下向き（取付板６と交差する向き）に突出する支持片６２と、支持片６２の先端（下端）から側方（支持片６２と交差する方向）に突出する差込片６０とを有している。これらの支持片６２及び差込片６０は、取付板６の一部を切り起こすことにより形成される。差込片６０は、前後方向に長い矩形板状であって、図４（ａ）〜図４（ｃ）に示すように、先端（右端）角部に面取りを施すことにより先端に向かって幅寸法が小さくなるように形成されている。
【００２９】
反射部材５は、隣り合う光源ユニット３の間に生じる２箇所のスペースにそれぞれ配置される。これらの反射部材５は同一の構成を有し、一対の反射板５０と、各反射板５０の上端から上向きに延びる一対の側板５１とが、長方形状の金属板を曲げ加工することで一体に形成されている。一対の反射板５０は、短手方向における一方の端縁同士が繋がっており、長手方向（前後方向）から見てＶ字状に形成されている。
【００３０】
側板５１は、長手方向（前後方向）の両端における先端（上端）近傍にそれぞれ長孔からなる差込孔５１０が設けられている。また、側板５１の先端には、側板５１の端縁部分を内向き（互いに近づく向き）に折り曲げることで側板５１と対向する折り返し板５２が一体に形成されている。
【００３１】
さらに、折り返し板５２において側板５１の差込孔５１０と対向する位置には、前後方向（図１（ｂ）中の左右方向）における開口寸法が差込孔５１０よりも小さい差込溝５２０が設けられている。ここに、本実施形態では、前後方向における差込溝５２０の両側の開口端縁が、上下方向における一端側（図１（ｂ）中の上側）から他端側（図１（ｂ）中の下側）に向けて互いの間隔が狭くなるように傾斜している。なお、反射部材５を取付板６に取り付ける手順については後述する。
【００３２】
取付板６に取り付けられた電源装置４は、取付板６に取り付けられた一方（図２における右側）の反射部材５で覆い隠される。このように、反射部材５と取付板６で囲まれるデッドスペースに電源装置４が配置されるため、電源装置４が取付板６の背面（上面）に取り付けられる場合と比較して、光源ブロック２の低背化を図ることができる。ここに、本実施形態では、取付板６により取付部が構成されている。
【００３３】
支持ブロック１は、角筒状の枠体１０と、矩形平板状のベース板（底板）１１とが結合されることにより、下面が開放された矩形箱状に形成される。
【００３４】
枠体１０は、左右方向に対向する一対の第１側板１００と、前後方向に対向する一対の第２側板１０１と、フランジ１０２とを有する。第１側板１００は、矩形板状の縦板１０００と、縦板１０００の下端縁から斜め下向きに突出する傾斜板１００１と、縦板１０００の上端縁から傾斜板１００１と反対向き且つ水平に突出する取付片１００２とが鋼板などの金属板で一体に形成されている。
【００３５】
また、第２側板１０１は、台形状の縦板１０１０と、縦板１０１０の上端縁から内向き且つ水平に突出する取付片１０１１と、縦板１０１０の左右方向における両端から上向きに突出する一対の接合片１０１２とが、鋼板などの金属板で一体に形成されている。
【００３６】
第１側板１００は、長手方向（前後方向）における両端に第２側板１０１がそれぞれ接合される。すなわち、第２側板１０１の接合片１０１２が第１側板１００の縦板１０００に溶接されることにより、第１側板１００と第２側板１０１とが接合される。
【００３７】
フランジ１０２は、金属板が加工されることで矩形枠状に形成され、第１側板１００及び第２側板１０１の下端縁に接合される。
【００３８】
ベース板１１は、鋼板などの金属板により矩形板状に形成されている。但し、ベース板１１は、４つの辺が同じ向き（下向き）に曲げ起こされることで強度の向上が図られている。
【００３９】
また、ベース板１１は、給電用の電源線が挿通される第１挿通孔１１０と、調光用の制御信号などが伝送される信号線が挿通される第２挿通孔１１１とが設けられている。第１挿通孔１１０に挿通される電源線（図示せず）は、ベース板１１の下面に固定される第１端子台７に接続される。第１端子台７は、図示しない接続部に電線（図示せず）の一端が接続される。そして、この電線の他端が電源装置４の入力端子台４１に接続される。故に、商用電源から第１端子台７を介して電源装置４に交流電力が給電される。
【００４０】
また、ベース板１１の下面には、第２端子台８も固定される。第２端子台８は、第２挿通孔１１１に挿通される信号線（図示せず）と、電源装置４の信号端子台４２に接続される信号線とがそれぞれ接続される。つまり、図示しない調光器から信号線を介して伝送される調光信号が第２端子台８を通して電源装置４の信号端子台４２に入力される。
【００４１】
電源装置４は、調光信号に対応して、出力（直流電力）を定格値から減少させることで各光源ユニット３を調光するように構成されている。さらに、ベース板１１は、図示しない吊りボルトが挿通される複数（図２では３つ）のボルト挿通孔１１２が左右方向に一列に並べて設けられている。
【００４２】
ところで、ベース板１１は、左右方向における両端に、複数（図２では左右に２つずつで合計４つ）の取付部１２が前後方向に間隔を空けて設けられている。すなわち、これら４つの取付部１２により、ベース板１１が枠体１０の取付片１００２に取り付けられる。
【００４３】
支持ブロック１は、ベース板１１のボルト挿通孔１１２に挿通される吊りボルトにナット（図示せず）が締め付けられて吊りボルトに固定される。そして、支持ブロック１は、枠体１０のフランジ１０２が天井板の下面側（照明空間側）に露出し、且つその他の部分が天井板の埋込孔に挿入された状態に配置される。つまり、フランジ１０２は、埋込孔の周縁と支持ブロック１との間に生じる隙間を塞いで隠すために設けられている。
【００４４】
また、枠体１０の各取付片１０１１には、いわゆるラッチ（図示せず）が左右方向に間隔を空けて２つずつ取り付けられている。ラッチは、幅細の直方体状に形成された摘まみと、摘まみを回転可能に支持する支持部とを有する。そして、ラッチは、取付片１０１１に設けられる取付孔（図示せず）に支持部が挿通されて取付片１０１１に取り付けられる。
【００４５】
一方、取付板６の前後方向における両端には、ラッチの摘まみが挿通可能な寸法を有する矩形の挿通孔６１がそれぞれ２つずつ設けられている。すなわち、埋込孔に埋め込まれた支持ブロック１内に光源ブロック２を収納する際、取付板６の各挿通孔６１に挿通されたラッチの摘まみが９０度回転されることにより、挿通孔６１に対して摘まみが抜け止めされる。
【００４６】
したがって、光源ブロック２は、４つのラッチによって支持ブロック１（枠体１０の一対の取付片１０１１）に取り付けられる。但し、上述のようなラッチは従来周知であるから、詳細な構成の図示並びに説明は省略する。ここに、本実施形態では、枠体１０及びベース板１１からなる支持ブロック１と、光源ブロック２の取付板６とで器具本体が構成されている。
【００４７】
次に、本発明の要旨である取付板６に対する反射部材５の取付構造について、詳細に説明する。
【００４８】
作業者は、一対の側板５１が互いに近づくように反射部材５を左右方向に撓めた状態で取付板６に近づけていき、側板５１の各差込孔５１０と取付板６の対応する差込片６０とがそれぞれ向かい合うように反射部材５の位置を調整する（図５（ａ）及び図６（ａ）参照）。このとき、各差込片６０は、図４（ａ）に示すように、対応する差込孔５１０に差し込まれていない。
【００４９】
続けて、作業者は、各差込片６０と対応する差込孔５１０の位置を合わせた状態で、反射部材５に加えている力を解除する。これにより、各側板５１が互いに離れる方向に移動し、それに伴って各差込片６０が対応する差込孔５１０にそれぞれ差し込まれる（図４（ｂ）、図５（ｂ）及び図６（ｂ）参照）。
【００５０】
各側板５１が互いに離れる方向にさらに移動すると、各差込片６０が対応する差込孔５１０に対してさらに差し込まれていき、各差込孔５１０と対向する折り返し板５２の差込溝５２０に差し込まれ、反射部材５が取付板６に取り付けられる。このとき、図１（ａ）、図４（ｃ）及び図５（ｃ）に示すように、差込片６０の各面取り部分が差込溝５２０の前後方向における開口端縁と接触しており、これにより反射部材５が前後方向にがたつくのを抑えることができる。
【００５１】
またこのとき、図３に示すように、一対の側板５１が互いに近づく向きに撓められており、差込片６０に対して加えられる各側板５１からの弾性力によって、反射部材５が左右方向にがたつくのを抑えることもできる。
【００５２】
また、反射部材５を取付板６から取り外す際、作業者は、一対の側板５１が互いに近づくように反射部材５を左右方向に撓める。このとき、各差込片６０が対応する差込孔５１０及び差込溝５２０からそれぞれ後退する。そして、作業者は、一対の側板５１を撓めた状態のまま、取付板６から離れる方向に反射部材５を移動させる。以上の手順により、反射部材５が取付板６から取り外される。
【００５３】
ところで、各差込片６０は、上述したように、前後方向（差込片６０の幅方向）における両角部に面取りが施されており、対応する差込溝５２０に差し込まれる際には、差込溝５２０の前後方向における開口端縁の表面上をすりながら動くことになる。
【００５４】
そのため、例えば反射部材５の表面に塗膜が形成されていたとしても、差込溝５２０の開口端縁に形成された塗膜を除去することができ、差込片６０の表面と差込溝５２０の表面とが直接接触する。その結果、本実施形態のように、取付板６と反射部材５とで電源装置４を覆う場合においてアース（接地）が取りやすくなるという利点がある。
【００５５】
また、本実施形態の照明器具では、図７に示すように、取付板６の一面に光源ユニット３及び反射部材５が交互に並ぶように取り付けられる。そして、反射部材５が取付板６に取り付けられた状態では、図３及び図７に示すように、反射部材５の両側板５１が内向きに撓められている。これにより、隣接する光源ユニット３との間のスペース９を大きく取ることができ、このスペース９を利用して電線等を配線することができる。
【００５６】
而して、本実施形態によれば、反射部材５を取付板６に取り付けた状態（図１（ａ）に示す状態）では、前後方向（差込片６０の幅方向）における開口寸法が差込孔５１０よりも小さい差込溝５２０によって反射部材５の移動が規制される。そのため、差込孔５１０のみを設けた場合と比較して、前後方向における反射部材５のがたつきを抑えることができる。
【００５７】
また、本実施形態では、左右方向（差込片６０の幅方向）における差込溝５２０の両側の開口端縁が、上下方向（差込片６０の厚み方向）における下側から上側に向けて互いの間隔が狭くなるように傾斜している。これにより、差込片６０を差込溝５２０に差し込む際に差し込みやすく、さらに差し込んだ後は、前後方向における差込溝５２０の両側の開口端縁がガイドとして機能し、差込片６０を所定位置（図３（ａ）に示す位置）まで誘導することができる。
【００５８】
なお、本実施形態では、枠体１０とベース板１１を別体としたが、一体に構成してもよく、本実施形態に限定されない。また、本実施形態では、反射部材５の表面のみに塗膜を形成したが、取付板６の表面にも塗膜を形成してもよい。この場合も、差込片６０が差込溝５２０の開口端縁の表面上をすりながら動くことで、差込片６０及び差込溝５２０の塗膜を除去することができ、同様にアースが取りやすくなるという利点がある。
【００５９】
また、図８〜図１０に示すように、取付板６から離れるほど互いの間隔が狭くなるように傾斜する傾斜部５０ａと、傾斜部５０ａの先端から水平且つ互いに離れる方向に延びる平坦部５０ｂとで反射板５０を構成してもよい。この場合も、各側板５１に差込孔５１０を設けるとともに、各側板５１と対向する各折り返し板５２に差込溝５２０を設けることで、前後方向における反射部材５のがたつきを抑えることができる。
【００６０】
本実施形態の照明器具は、ＬＥＤ３０１（光源）と、反射部材５と、ＬＥＤ３０１及び反射部材５を支持する器具本体（支持ブロック１及び取付板６）とを備える。前記器具本体は、平板状に形成された取付板６（取付部）の一面にＬＥＤ３０１及び反射部材５が交互に並ぶように取り付けられる。反射部材５は、一対の反射板５０と、一対の側板５１と、一対の折り返し板５２とを具備する。一対の反射板５０は、少なくとも一部が取付板６から離れるほど互いの間隔が狭くなるように傾斜する。一対の側板５１は、一対の反射板５０の各々における取付板６側の端縁から取付板６側に延びる。一対の折り返し板５２は、一対の側板５１の各々における取付板６側の端縁部分を互いに近づく向きに折り返すことで一対の側板５１と対向する。前記器具本体は、取付板６から取付板６と交差する方向に突出する支持片６２と、支持片６２の先端から支持片６２と交差する方向に突出する差込片６０とを有する。差込片６０は、板状で且つ先端に向かって幅寸法が小さくなるように形成されている。一対の側板５１の各々は、差込片６０が差し込まれる差込孔５１０を有している。一対の折り返し板５２の各々は、差込孔５１０と対向する位置に、差込片６０の幅方向における開口寸法が差込孔５１０よりも小さい差込溝５２０を有している。
【００６１】
また、本実施形態の照明器具のように、差込片６０の幅方向における差込溝５２０の両側の開口端縁が、差込片６０の厚み方向における一端側から他端側に向けて互いの間隔が狭くなるように傾斜しているのが好ましい。
【００６２】
また、本実施形態の照明器具のように、少なくとも反射部材５の表面に塗膜が形成されているのが好ましい。この場合、差込片６０及び差込溝５２０は、差込片６０が差込溝５２０に差し込まれる際に差込片６０が差込溝５２０の開口端縁の表面上をすりながら動くことで、少なくとも差込溝５２０の開口端縁に形成された塗膜が除去されるように構成されている。これにより、差込片６０の表面と差込溝５２０の表面とが直接接触する。
【符号の説明】
【００６３】
６  取付板（取付部）
５０  反射板
５１  側板
５２  折り返し板
６０  差込片
６２  支持片
５１０  差込孔
５２０  差込溝
【図１】
2015141759.tif 000003
【図２】
2015141759.tif 000004
【図３】
2015141759.tif 000005
【図４】
2015141759.tif 000006
【図５】
2015141759.tif 000007
【図６】
2015141759.tif 000008
【図７】
2015141759.tif 000009
【図８】
2015141759.tif 000010
【図９】
2015141759.tif 000011
【図１０】
2015141759.tif 000012